(57)【要約】機器制御ライン（２０９）を介して接続された、テレビジョン受像機（２０１）と、ＤＶＤレコーダ（２０５）とを含む電子機器のための盗難防止システムが提供される。ＤＶＤレコーダ（２０５）はパスワードを予め格納した不揮発性メモリ（２０７）を含む。テレビジョン受像機（２０１）はパスワードを予め格納した不揮発性メモリ（２０３）とコントローラ（２０２）とを含む。コントローラ（２０２）はテレビジョン受像機（２０１）のの起動時に、ＤＶＤレコーダ（２０５）に対して不揮発性メモリ（２０７）に格納されたパスワードを送信するように要求し、ＤＶＤレコーダ（２０５）からのパスワードを受信し、受信されたパスワードを、不揮発性メモリ（２０３）内のパスワードと比較して、一致したときテレビジョン受像機（２０１）の動作を開始させる。【特許請求の範囲】
【請求項１】
機器制御ラインを介して接続された、第１の電子機器と第２の電子機器を含む複数の電子機器のためのセキュリティシステムであって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とする電子機器のためのセキュリティシステム。
【請求項２】
上記制御手段は、上記受信されたパスワードを、上記第１の記憶手段に格納されたパスワードと比較して、不一致であるとき、上記第１の電子機器の動作を停止させるようにセキュリティ機能を実行することを特徴とする請求項１記載の電子機器のためのセキュリティシステム。
【請求項３】
上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする請求項１記載の電子機器のためのセキュリティシステム。
【請求項４】
上記制御手段は、上記ユーザーにより入力されたパスワードを、上記第１の記憶手段に格納されたパスワードと比較して、不一致であるとき上記第１の電子機器の動作を停止させることを特徴とする請求項３記載の電子機器のためのセキュリティシステム。
【請求項５】
上記制御手段は、上記ユーザーにより所定の複数回入力されたパスワードを、上記第１の記憶手段に格納されたパスワードと比較して、不一致であるとき上記第１の電子機器の動作を停止させることを特徴とする請求項３記載の電子機器のためのセキュリティシステム。
【請求項６】
上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする請求項３乃至５のうちのいずれか１つに記載の電子機器のためのセキュリティシステム。
【請求項７】
上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする請求項１乃至６のうちのいずれか１つに記載の電子機器のためのセキュリティシステム。
【請求項８】
上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする請求項７記載の電子機器のためのセキュリティシステム。
【請求項９】
上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする請求項８記載の電子機器のためのセキュリティシステム。
【請求項１０】
機器制御ラインを介して接続された、第１の電子機器と第２の電子機器を含む複数の電子機器のためのセキュリティシステムに設けられた第１の電子機器であって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とするセキュリティシステムのための電子機器。
【請求項１１】
上記制御手段は、上記受信されたパスワードを、上記第１の記憶手段に格納されたパスワードと比較して、不一致であるとき、上記第１の電子機器の動作を停止させるようにセキュリティ機能を実行することを特徴とする請求項１０記載のセキュリティシステムのための電子機器。
【請求項１２】
上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする請求項１０記載のセキュリティシステムのための電子機器。
【請求項１３】
上記制御手段は、上記ユーザーにより入力されたパスワードを、上記第１の記憶手段に格納されたパスワードと比較して、不一致であるとき上記第１の電子機器の動作を停止させることを特徴とする請求項１２記載のセキュリティシステムのための電子機器。
【請求項１４】
上記制御手段は、上記ユーザーにより所定の複数回入力されたパスワードを、上記第１の記憶手段に格納されたパスワードと比較して、不一致であるとき上記第１の電子機器の動作を停止させることを特徴とする請求項１２記載のセキュリティシステムのための電子機器。
【請求項１５】
上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする請求項１２乃至１４のうちのいずれか１つに記載のセキュリティシステムのための電子機器。
【請求項１６】
上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする請求項１０乃至１５のうちのいずれか１つに記載のセキュリティシステムのための電子機器。
【請求項１７】
上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする請求項１６記載のセキュリティシステムのための電子機器。
【請求項１８】
上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする請求項１７記載のセキュリティシステムのための電子機器。
【発明の詳細な説明】
【技術分野】
【０００１】  本発明は、例えばテレビジョン受像機とＤＶＤレコーダとの間など、複数の電子機器のためのセキュリティシステムとその電子機器に関する。
【背景技術】
【０００２】  従来の電子機器の盗難防止対策として、例えば、特許文献１において、以下の盗難防止装置が開示されている。例えば音響機器の盗難予防のために予めパスワードを設定してそれを不揮発性メモリに記憶させておき、次回の電源オン時にユーザーにパスワードの入力を求め、入力されたパスワードが不揮発性メモリに記憶させた内容と一致した場合に通常通り電源オンさせ、一致しなかった場合には、音響機器を動作させない。この装置では、そのパスワードの読み取り手法にも工夫を加えてセキュリティの強化を行っている。【０００３】  図２は、従来技術に係る特許文献１に記載された盗難防止装置を示すものである。図２において、当該盗難防止装置は、音響機器１０３の動作を制御するマイクロプロセッサ１０１と、所定のシステムの情報を保存する不揮発性メモリ１０２と、音響機器１０３とを備えて構成される。【０００４】  ここで、マイクロプロセッサ１０１は、電源オン時のパスワードを予め設定する設定メニューを画面上でユーザーに提供し、その設定メニューでユーザーが入力したパスワードを不揮発性メモリ１０２に記憶して登録する。パスワードの登録後、ユーザーが音響機器１０３の電源をオンすると、マイクロプロセッサ１０１は、音響機器１０３を動作させる前にパスワード入力画面を表示し、ユーザーにパスワードの入力を求める。マイクロプロセッサ１０１は、入力されたパスワードが不揮発性メモリ１０２に記憶させたパスワードと一致すれば、音響機器１０３を通常通り動作させる。一方、パスワードが一致しなければ、盗難防止のために当該音響機器１０３の動作を中止する。なお、当該盗難防止装置では、不揮発性メモリ１０２に記憶されたパスワードを容易に読み取られない工夫が施されている。【０００５】
【特許文献１】日本国特許出願公開平成２年０４２８２３号公報
【発明の開示】
【発明が解決しようとする課題】
【０００６】  しかしながら、上記従来技術に係る盗難防止装置では、ユーザーが音響機器１０３の電源を入れる毎に、毎回パスワードの入力が必要となり、ユーザーに煩雑な操作を強要することになる。また、パスワードを登録した本人しか音響機器１０３を動作させることができないという問題点があった。【０００７】  本発明の目的は以上の問題点を解決し、電子機器の電源をオンする毎にパスワードを入力する必要はなく、盗難防止などのセキュリティを強化できる電子機器のためのセキュリティシステムとその電子機器を提供することにある。
【課題を解決するための手段】
【０００８】  第１の発明に係る電子機器のためのセキュリティシステムは、機器制御ラインを介して接続された、第１の電子機器と第２の電子機器を含む複数の電子機器のためのセキュリティシステムであって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とする。【０００９】  上記電子機器のためのセキュリティシステムにおいて、上記制御手段は、上記受信されたパスワードを、上記第１の記憶手段に格納されたパスワードと比較して、不一致であるとき、上記第１の電子機器の動作を停止させるようにセキュリティ機能を実行することを特徴とする。【００１０】  また、上記電子機器のためのセキュリティシステムにおいて、上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする。【００１１】  さらに、上記電子機器のためのセキュリティシステムにおいて、上記制御手段は、上記ユーザーにより入力されたパスワードを、上記第１の記憶手段に格納されたパスワードと比較して、不一致であるとき上記第１の電子機器の動作を停止させることを特徴とする。【００１２】  またさらに、上記電子機器のためのセキュリティシステムにおいて、上記制御手段は、上記ユーザーにより所定の複数回入力されたパスワードを、上記第１の記憶手段に格納されたパスワードと比較して、不一致であるとき上記第１の電子機器の動作を停止させることを特徴とする。【００１３】  上記電子機器のためのセキュリティシステムにおいて、上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする。【００１４】  また、上記電子機器のためのセキュリティシステムにおいて、上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする。【００１５】  さらに、上記電子機器のためのセキュリティシステムにおいて、例えばセキュリティ機能が設定されていないとき、上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする。【００１６】  またさらに、上記電子機器のためのセキュリティシステムにおいて、上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする。【００１７】  第２の発明に係るセキュリティシステムのための電子機器は、機器制御ラインを介して接続された、第１の電子機器と第２の電子機器を含む複数の電子機器のためのセキュリティシステムに設けられた第１の電子機器であって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とする。【００１８】  上記セキュリティシステムのための電子機器において、上記制御手段は、上記受信されたパスワードを、上記第１の記憶手段に格納されたパスワードと比較して、不一致であるとき、上記第１の電子機器の動作を停止させるようにセキュリティ機能を実行することを特徴とする。【００１９】  また、上記セキュリティシステムのための電子機器において、上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする。【００２０】  さらに、上記セキュリティシステムのための電子機器において、上記制御手段は、上記ユーザーにより入力されたパスワードを、上記第１の記憶手段に格納されたパスワードと比較して、不一致であるとき上記第１の電子機器の動作を停止させることを特徴とする。【００２１】  またさらに、上記セキュリティシステムのための電子機器において、上記制御手段は、上記ユーザーにより所定の複数回入力されたパスワードを、上記第１の記憶手段に格納されたパスワードと比較して、不一致であるとき上記第１の電子機器の動作を停止させることを特徴とする。【００２２】  上記セキュリティシステムのための電子機器において、上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする。【００２３】  また、上記セキュリティシステムのための電子機器において、上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする。【００２４】  さらに、上記セキュリティシステムのための電子機器において、上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする。【００２５】  またさらに、上記セキュリティシステムのための電子機器において、例えばセキュリティ機能が設定されていないとき、上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする。
【発明の効果】
【００２６】  従って、本発明に係る電子機器のためのセキュリティシステムによれば、機器制御ラインを介して接続された複数の電子機器のためのセキュリティシステムにおいて、接続された補助装置の電子機器の記憶手段にパスワードを登録することによって、主装置の電子機器の起動時にそのパスワードを確認することができるので、機器制御ラインが接続されている限りにおいて、主装置の電子機器と補助装置の電子機器との間でパスワードが一致すれば、ユーザーにとって通常の電源オン時の処理と同様に、当該電子機器が起動開始できる。補助装置の電子機器が接続されていないときは、主装置の電子機器を起動できないので、主装置の電子機器が盗難されても起動することができない。それ故、ユーザーにパスワードの入力など煩雑な操作を強いることなく盗難防止を実現できる。さらに、このシステムはほとんどコストアップなしに実現できるという特有の効果を有する。
【図面の簡単な説明】
【００２７】
【図１】本発明の実施形態に係る、テレビジョン受像機２０１とＤＶＤレコーダ２０５を含むセキュリティシステムの構成を示すブロック図である。
【図２】従来技術に係る盗難防止装置の構成を示すブロック図である。
【図３】図１のコントローラ２０２とコントローラ２０６との間の通信手順Ｐ１を示すシーケンス図である。
【図４】図１のコントローラ２０２とコントローラ２０６との間の通信手順Ｐ２を示すシーケンス図である。
【図５】図１のコントローラ２０２とコントローラ２０６との間の通信手順Ｐ３を示すシーケンス図である。
【図６】図１のコントローラ２０２とコントローラ２０６との間の通信手順Ｐ４を示すシーケンス図である。
【図７】図１のコントローラ２０２によって実行される出荷後最初の電源オン時処理を示すフローチャートである。
【図８】図７のサブルーチンであるセキュリティ機能確認処理（ステップＳ９）を示すフローチャートである。
【図９】図１のコントローラ２０２によって実行される機器制御処理の第１の部分を示すフローチャートである。
【図１０】図１のコントローラ２０２によって実行される機器制御処理の第２の部分を示すフローチャートである。
【図１１】図１のコントローラ２０２によって実行される機器制御処理の第３の部分を示すフローチャートである。
【図１２】図９のサブルーチンであるオーナーＩＤの再登録時処理（ステップＳ２８）の第１の部分を示すフローチャートである。
【図１３】図９のサブルーチンであるオーナーＩＤの再登録時処理（ステップＳ２８）の第２の部分を示すフローチャートである。
【図１４】図９のサブルーチンであるオーナーＩＤの再登録時処理（ステップＳ２８）の第３の部分を示すフローチャートである。
【図１５】図１０の処理の変形例を示すフローチャートである。
【図１６】図１１の処理の変形例を示すフローチャートである。
【図１７】図１２の処理の変形例を示すフローチャートである。
【図１８】図７のステップＳ１の処理で表示されるスタート時自動セットアップの画面Ｄ１を示す正面図である。
【図１９】図７のステップＳ２の処理で表示される初期電源オン時登録の画面Ｄ２を示す正面図である。
【図２０】図７のステップＳ８の処理で表示されるセキュリティオプションの使用の確認（その１）の画面Ｄ３を示す正面図である。
【図２１】図７のステップＳ１４の処理で表示されるセキュリティオプションの使用の確認（その２）の画面Ｄ４を示す正面図である。
【図２２】図７のステップＳ１５の処理で表示されるセキュリティオプションの使用の確認（その３）の画面Ｄ５を示す正面図である。
【図２３】図７のステップＳ１９の処理で表示されるセキュリティオプションの使用の確認（その４）の画面Ｄ６を示す正面図である。
【図２４】図７のステップＳ１２の処理で表示されるセキュリティオプションの使用の確認（その５）の画面Ｄ７を示す正面図である。
【図２５】図１１のステップＳ４１の処理で表示されるセキュリティ機能は機器接続の消失により動作中であることの通知（その１）の画面Ｄ８を示す正面図である。
【図２６】図１１のステップＳ４５の処理で表示されるセキュリティ機能は機器接続の消失により動作中であることの通知（その２）の画面Ｄ９を示す正面図である。
【図２７】図１０のステップＳ３１の処理で表示されるセキュリティ機能は機器接続の変更により動作中であることの通知（その１）の画面Ｄ１０を示す正面図である。
【図２８】図１０のステップＳ３５の処理で表示されるセキュリティ機能は機器接続の変更により動作中であることの通知（その２）の画面Ｄ１１を示す正面図である。
【図２９】図１２のステップＳ５１の処理で表示されるＰＩＮ番号が登録された後のオーナーＩＤメニューの画面Ｄ１２を示す正面図である。
【図３０】図１２のステップＳ５６の処理で表示される間違ったＰＩＮ番号が入力されたときのオーナーＩＤメニューの画面Ｄ１３を示す正面図である。
【図３１】図１３のステップＳ６５乃至Ｓ６８の処理で表示される名前、家屋番号、ポストコード又はセキュリティ機能の変更後のオーナーＩＤメニューの画面Ｄ１４を示す正面図である。
【図３２】図１３のステップＳ６５乃至Ｓ６８の処理で表示される名前、家屋番号、ポストコード又はセキュリティ機能の変更後のオーナーＩＤメニューの画面Ｄ１５を示す正面図である。
【図３３】図１３のステップＳ６９乃至Ｓ７０の処理で表示される名前、家屋番号又はポストコードの変更後のオーナーＩＤメニューの画面Ｄ１６を示す正面図である。
【図３４】図７のステップＳ１０の処理で表示される通常選局画面である画面Ｄ１７を示す正面図である。
【符号の説明】
【００２８】２０１…テレビジョン受像機、
２０２…コントローラ、
２０３…不揮発性メモリ、
２０３Ａ…ＲＯＭ、
２０４…映像信号及び音声信号処理回路、
２０４Ａ…ディスプレイ、
２０５…ＤＶＤレコーダ、
２０６…コントローラ、
２０７…不揮発性メモリ、
２０８…映像信号及び音声信号処理回路、
２０８Ａ…ＤＶＤドライブ装置、
２０９…機器制御ライン、
２１０…映像信号ライン、
２１１…音声信号ライン、
２２０…赤外線信号受信機、
２２１…リモートコントローラ、
２２２…キーボード、
２２３…赤外線信号送信機。
【発明を実施するための最良の形態】
【００２９】  以下、本発明に係る実施形態について図面を参照して説明する。【００３０】  図１は、本発明の実施形態に係る、テレビジョン受像機２０１とＤＶＤレコーダ２０５を含むセキュリティシステムの構成を示すブロック図である。本実施形態に係るセキュリティシステムは、機器制御ライン２０９を介して接続された、テレビジョン受像機２０１と、ＤＶＤレコーダ２０５とを備えて構成される。ここで、ＤＶＤレコーダ２０５はパスワードを予め格納した不揮発性メモリ２０７を含む。テレビジョン受像機２０１はパスワードを予め格納した不揮発性メモリ２０３とコントローラ２０２とを含む。コントローラ２０２はテレビジョン受像機２０１の起動時に、図６の通信手順Ｐ４を用いて、ＤＶＤレコーダ２０５に対して不揮発性メモリ２０７に格納されたパスワードを送信するように要求し、ＤＶＤレコーダ２０５からのパスワードを受信し、受信されたパスワードを、不揮発性メモリ２０３内のパスワードと比較して（図９のステップＳ２５）、一致したとき（ステップＳ２６でＹＥＳ）テレビジョン受像機２０１の動作を開始させる（ステップＳ２６Ａ）ことを特徴としている。本実施形態では、パスワードとして、ＰＩＮ番号（Ｐｅｒｓｏｎａｌ  Ｉｄｅｎｔｉｆｉｃａｔｉｏｎ  Ｎｕｍｂｅｒ）を用いる。【００３１】  図１において、主装置であるテレビジョン受像機２０１は、その動作を制御するコントローラ２０２と、パスワードであるＰＩＮ番号などのデータを格納する、例えばＥＥＰＲＯＭ又はフラッシュメモリなどの不揮発性メモリ２０３と、例えばカスタマーエンジニア用特別ＰＩＮ番号などのデータを格納するＲＯＭ（読み出し専用メモリ）２０３Ａと、映像信号及び音声信号処理回路２０４と、ディスプレイ２０４Ａと、リモートコントローラ２２１の赤外線信号送信機２２３からの赤外線信号を受信する赤外線信号受信機２２０とを備えて構成される。また、テレビジョン受像機２０１には、その動作をユーザーが遠隔制御するためのリモートコントローラ２２１が付属されており、リモートコントローラ２２１は、パスワードや選局データなどのデータを入力するためのキーボード２２２と、入力されたデータを赤外線信号受信機２２０に送信する赤外線信号送信機２２３とを備えて構成される。【００３２】  ＤＶＤレコーダ２０５は、その動作を制御するコントローラ２０６と、コントローラ２０６に接続されパスワードであるＰＩＮ番号やセキュリティ機能を有するか否かの情報などのデータを格納する、例えばＥＥＰＲＯＭ又はフラッシュメモリなどの不揮発性メモリ２０３と、映像信号及び音声信号処理回路２０８と、ＤＶＤドライブ装置２０８Ａとを備えて構成される。ここで、テレビジョン受像機２０１のコントローラ２０２と、ＤＶＤレコーダ２０５のコントローラ２０６との間は、例えば、欧州における電子機器において用いられる２１ピンスカートケーブル、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル、ＩＥＥＥ１３９４に準拠した制御ケーブルなど電子機器間の制御に用いるための機器制御ライン２０９を介して接続されており、コントローラ２０２，２０６はその間で図３乃至図６を参照して説明する通信手順Ｐ１乃至Ｐ４を用いて種々の信号を送受信する。本実施形態において、当該機器制御ライン２０９を用いた接続を、「機器接続」という。また、映像信号及び音声信号処理回路２０４と、映像信号及び音声信号処理回路２０８との間は、映像信号ライン２１０及び音声信号ライン２１１とにより接続されている。映像信号及び音声信号処理回路２０８は、コントローラ２０６によりその動作が制御され、ＤＶＤドライブ装置２０８Ａで再生された映像信号及び音声信号に対して所定の信号処理を実行した後、映像信号ライン２１０及び音声信号ライン２１１を介して映像信号及び音声信号処理回路２０４に送信する。【００３３】  テレビジョン受像機２０１に付属されたリモートコントローラ２２１において、キーボード２２２は、例えば図１９の画面Ｄ２に示すように、中央キーを含む十字キー、テンキー、機能キーなどを含む。ユーザーはキーボード２２２を用いてパスワードや選局情報などのデータを入力し、当該データは赤外線信号送信機２２３により赤外線信号受信機２２０に無線送信された後、コントローラ２０２に出力される。不揮発性メモリ２０３に格納されたＰＩＮ番号などのデータはコントローラ２０２により読み出され、ＲＯＭ２０３Ａに格納された特別ＰＩＮ番号などのデータはコントローラ２０２により読み出される。映像信号及び音声信号処理回路２０４は、コントローラ２０２によりその動作が制御され、映像信号及び音声信号処理回路２０８からの映像信号及び音声信号を受信して、それらに対して所定の信号処理を実行した後、ディスプレイ２０４Ａ及びスピーカ（図示せず。）に出力する。【００３４】  次いで、図３乃至図６を参照して、主装置であるテレビジョン受像機２０１のコントローラ２０２と、補助装置であるＤＶＤレコーダ２０５のコントローラ２０６との間で機器制御ライン２０９を介して実行される種々の通信手順Ｐ１乃至Ｐ４について以下に説明する。【００３５】  図３は図１のコントローラ２０２とコントローラ２０６との間の通信手順Ｐ１を示すシーケンス図である。図３において、コントローラ２０２は、接続確認信号をコントローラ２０６に送信し、これに応答して、コントローラ２０６は、当該接続確認信号を受信したときに接続確認ＡＣＫ信号（ＡＣＫは肯定応答（Ａｃｋｎｏｗｌｅｄｇｍｅｎｔ）の略である。）をコントローラ２０２に返信する。これにより、機器制御ライン２０９を介した機器接続が正常に接続されていることを確認できる。【００３６】  図４は図１のコントローラ２０２とコントローラ２０６との間の通信手順Ｐ２を示すシーケンス図である。図４において、コントローラ２０２は、セキュリティ機能確認信号をコントローラ２０６に送信し、これに応答して、コントローラ２０６は、ＤＶＤレコーダ２０５がセキュリティ機能を有しているか否かの情報を不揮発性メモリ２０７から読み出して、セキュリティ機能を有しているときにセキュリティ機能ＡＣＫ信号をコントローラ２０２に返信する一方、セキュリティ機能を有していないときにセキュリティ機能ＡＣＫ信号をコントローラ２０２に返信しない。これにより、ＤＶＤレコーダ２０５がセキュリティ機能を有しているか否かを確認できる。【００３７】  図５��図１のコントローラ２０２とコントローラ２０６との間の通信手順Ｐ３を示すシーケンス図である。図５において、コントローラ２０２は、書き込むべきパスワードを含むパスワード書込要求信号をコントローラ２０６に送信し、これに応答して、コントローラ２０６は、パスワード書込要求信号に含まれるパスワードを不揮発性メモリ２０７に書き込んだ後、パスワード書込ＡＣＫ信号をコントローラ２０２に返信する。これにより、コントローラ２０２からコントローラ２０６を介して不揮発性メモリ２０７にパスワードを書き込むことができ、その結果を確認できる。【００３８】  図６は図１のコントローラ２０２とコントローラ２０６との間の通信手順Ｐ４を示すシーケンス図である。図６において、コントローラ２０２は、不揮発性メモリ２０７に格納されたパスワードを要求するパスワード書込要求信号をコントローラ２０６に送信し、これに応答して、コントローラ２０６は、不揮発性メモリ２０７に格納されたパスワードを読み出し、当該パスワードを含むパスワード返信信号をコントローラ２０２に返信する。これにより、コントローラ２０２からコントローラ２０６を介して不揮発性メモリ２０７に格納されたパスワードを読み出して受信できる。【００３９】  図７は図１のコントローラ２０２によって実行される出荷後最初の電源オン時処理を示すフローチャートである。なお、以下のすべての制御処理において、画面はすべてディスプレイ２０４Ａに表示される。また、図１８乃至図３４にそれぞれ図示された画面Ｄ１乃至Ｄ１７はそれぞれ一例を示している。【００４０】  図７において、まず、ステップＳ１で、図１８の画面Ｄ１を表示して、自動チューニングプリセット処理を含む自動セットアップ処理を実行し、ステップＳ２においてユーザー登録画面であるオーナーＩＤ（Ｉｄｅｎｔｉｆｉｃａｔｉｏｎ）画面である図１９の画面Ｄ２を表示する。次いで、ユーザーは、画面Ｄ２上でＰＩＮ番号（４桁数字）、名前、住所、郵便番号を含むユーザー登録情報をキーボード２２２を用いて入力する。そして、ステップＳ４において通信手順Ｐ１により機器接続を確認し、ステップＳ５において機器接続はＯＫか否かが判断され、ＹＥＳのときはステップＳ６に進む一方、ＮＯのときはステップＳ１０に進む。ステップＳ６において通信手順Ｐ２により接続機器であるＤＶＤレコーダ２０５のセキュリティ機能を確認し、ステップＳ７において接続機器はセキュリティ接続機器を有するか否かが判断され、ＹＥＳのときはステップＳ８に進む一方、ＮＯのときはステップＳ１０に進む。ステップＳ８において、セキュリティ機能の使用確認画面（図２０の画面Ｄ３）を表示し、ステップＳ９のセキュリティ機能確認処理（図８）において、ユーザーに対してセキュリティ機能を使用するか否かの確認を行い、ステップＳ１０に進む。ユーザーがセキュリティ機能を使用するときは、画面Ｄ３においてＹＥＳを選択し、使用しないときは画面Ｄ３においてＮＯを選択する。ステップＳ１０において、図３４の画面Ｄ１７に示すように、通常選局画面で番組ポジション“１”を選局した後、当該処理を終了して通常処理（例えば、図９のステップＳ２９に進む。）を実行する。【００４１】  図７において、機器接続が未接続で（ステップＳ５でＮＯ）、又は接続機器がセキュリティ機能を有しないとき（ステップＳ７でＮＯ）、セキュリティ機能確認処理に入らないので、セキュリティ機能に関する入力項目を表示することを停止し、ユーザーに対して、当該テレビジョン受像機２０１がセキュリティ機能が存在することを告知しない。これにより、ユーザーに対して余分な情報を与えず、その操作も簡単化できる。【００４２】  図８は図７のサブルーチンであるセキュリティ機能確認処理（ステップＳ９）を示すフローチャートである。【００４３】  図８において、まず、ステップＳ１１においてセキュリティ機能を使用するか否かが判断され、ステップＳ１２において、図２４の画面Ｄ７に示すように、セキュリティ機能を使用しないことを示すメッセージを２秒間表示し、セキュリティフラグＳＦを０にリセットした後、元のメインルーチンに戻る。ここで、セキュリティフラグＳＦは、０に設定されたときセキュリティ機能を使用することを示す一方、１に設定されたときセキュリティ機能を使用しないことを示す。一方、ステップＳ１４において、セキュリティ機能を使用するという選択の再確認の画面Ｄ４（図２１）を表示し、ＯＫであるときに、ステップＳ１５において使用するという選択の再々確認の画面Ｄ５（図２２）を表示し、さらにＯＫであるときに、ステップＳ１６に進む。ステップＳ１６において、通信手順Ｐ３により、ステップＳ３で入力されたＰＩＮ番号を不揮発性メモリ２０７に書き込むようにコントローラ２０６に指示し、ステップＳ１７においてパスワードＡＣＫ信号を受信したか否かが判断され、ＹＥＳとなるまでステップＳ１７の処理を繰り返し、ＹＥＳとなったときに、ステップＳ１８において、不揮発性メモリ２０３にＰＩＮ番号を書き込む。そして、ステップＳ１９において、図２３の画面Ｄ６に示すように、セキュリティ機能が組み込まれたことを示すメッセージを２秒間表示し、セキュリティフラグＳＦを１にセットした後、元のメインルーチンに戻る。【００４４】  図９乃至図１１は、図１のコントローラ２０２によって実行される機器制御処理を示すフローチャートである。【００４５】  図９のステップＳ２１において通信手順Ｐ１により機器接続を確認し、ステップＳ２２において機器接続はＯＫか否かが判断され、ＹＥＳのときはステップＳ２３に進む一方、ＮＯのときは図１１のステップＳ４１に進む。ステップＳ２３において通信手順Ｐ２により接続機器であるＤＶＤレコーダ２０５のセキュリティ機能の有無を確認し、ステップＳ２４においてセキュリティ機能を有するか否かが判断され、ＹＥＳのときはステップＳ２５に進む一方、ＮＯのときは図１０のステップＳ３１に進む。ステップＳ２５において、通信手順Ｐ４により不揮発性メモリ２０７内のＰＩＮ番号の送信を要求してコントローラ２０６から機器制御ライン２０９を介して当該ＰＩＮ番号を受信し、受信したＰＩＮ番号を、不揮発性メモリ２０３内のＰＩＮ番号を比較する。ステップＳ２６においてこれらのＰＩＮ番号は一致するか否かが判断され、ＹＥＳのときはステップＳ２６Ａに進む一方、ＮＯのときは図１０のステップＳ３１に進む。ステップＳ２６Ａにおいて、映像信号及び音声���号処理回路２０４の動作を開始し、又は動作可能状態を継続させ、ステップＳ２７において、所定のメニュー画面においてオーナーＩＤメニューを選択したか否かが判断され、ＹＥＳのときはステップＳ２８に進む一方、ＮＯのときはステップＳ２９に進む。ステップＳ２８では、図１２乃至図１４のオーナーＩＤ再登録処理を実行した後、ステップＳ２１に戻る。ステップＳ２９においてその他の通常処理を実行した後、ステップＳ２１に戻る。【００４６】  図１０のステップＳ３１においては、図２７の画面Ｄ１０に示すように、接続機器が変更されたことを示すメッセージを表示し、セキュリティ機能をキャンセルするためのＰＩＮ番号の入力（４桁数字）を促し、ステップＳ３２においてＰＩＮ番号を入力したか否かが判断され、ＹＥＳのときはステップＳ３３に進む一方、ＮＯのときはステップＳ３２に戻る。ステップＳ３３において入力されたＰＩＮ番号と不揮発性メモリ２０３内のＰＩＮ番号を比較し、ステップＳ３４においてこれらのＰＩＮ番号は一致するか否かが判断され、ＹＥＳのときはステップＳ３６に進む一方、ＮＯのときはステップＳ３５に進む。ステップＳ３５において映像信号及び音声信号処理回路２０４の動作を停止し、図２８の画面Ｄ１１に示すように、ＰＩＮ番号が正しくないことを表示して知らせ、ＰＩＮ番号の入力を再度要求し、ステップＳ３２に戻る。さらに、ステップＳ３６では、映像信号及び音声信号処理回路２０４の動作を開始し、ステップＳ３７においてセキュリティフラグＳＦを０にリセットすることによりセキュリティ機能をキャンセルした後、図９のステップＳ２９に進む。【００４７】  さらに、図１１のステップＳ４１において、図２５の画面Ｄ８に示すように、接続機器が切り離されたために、セキュリティ機能が動作していることを知らせるメッセージを表示し、セキュリティ機能をキャンセルしたい場合は、ＰＩＮ番号を入力するように促し、ステップＳ４２においてＰＩＮ番号を入力したか否かが判断され、ＹＥＳのときはステップＳ４３に進む一方、ＮＯのときはステップＳ４２に戻る。ステップＳ４３において入力されたＰＩＮ番号と不揮発性メモリ２０３内のＰＩＮ番号を比較し、ステップＳ４４においてこれらのＰＩＮ番号は一致するか否かが判断され、ＹＥＳのときはステップＳ４６に進む一方、ＮＯのときはステップＳ４５に進む。ステップＳ４５において映像信号及び音声信号処理回路２０４の動作を停止し、図２６の画面Ｄ９に示すように、ＰＩＮ番号が正しくないことを表示して知らせ、ＰＩＮ番号の入力を再度要求した後、ステップＳ４２に戻る。ステップＳ４６では、映像信号及び音声信号処理回路２０４の動作を開始し、ステップＳ４７においてセキュリティフラグＳＦを０にリセットすることによりセキュリティ機能をキャンセルした後、図９のステップＳ２９に進む。【００４８】  図１２乃至図１４は、図９のサブルーチンであるオーナーＩＤの再登録時処理（ステップＳ２８）を示すフローチャートである。【００４９】  図１２のステップＳ５１において、図２９の画面Ｄ１２に示すように、オーナーＩＤメニューを表示し、ステップＳ５２においてＰＩＮ番号（４桁数字）を入力するように促し、ステップＳ５３にお��てＰＩＮ番号を入力したか否かが判断され、ＹＥＳのときはステップＳ５４に進む一方、ＮＯのときはステップＳ５３に戻る。ステップＳ５４において入力されたＰＩＮ番号と不揮発性メモリ２０３内のＰＩＮ番号を比較し、ステップＳ５５においてこれらのＰＩＮ番号は一致するか否かが判断され、ＹＥＳのときはステップＳ５７に進む一方、ＮＯのときはステップＳ５６Ａに進む。ステップＳ５６Ａでは、セキュリティフラグＳＦが１であるか否かが判断され、すなわち、セキュリティ機能が設定されているか否かが判断され、ＹＥＳのときはステップＳ５６Ｂに進む一方、ＮＯのときはステップＳ５６Ｃに進む。ステップＳ５６Ｂでは、映像信号及び音声信号処理回路２０４の動作を停止し、次いで、ステップＳ５６Ｃでは、図３０の画面Ｄ１３に示すように、ＰＩＮ番号が正しくないことを表示して知らせ、ＰＩＮ番号の入力を再度要求した後、ステップＳ５３に戻る。ステップＳ５７では、映像信号及び音声信号処理回路２０４の動作を開始し、図１３のステップＳ６１に進む。【００５０】  図１３のステップＳ６１において通信手順Ｐ１により機器接続を確認し、ステップＳ６２において機器接続はＯＫか否かが判断され、ＹＥＳのときはステップＳ６３に進む一方、ＮＯのときはステップＳ６９に進む。ステップＳ６３において通信手順Ｐ２によりＤＶＤレコーダ２０５のセキュリティ機能の有無を確認し、ステップＳ６４においてセキュリティ機能を有するか否かが判断され、ＹＥＳのときはステップＳ６５に進む一方、ＮＯのときはステップＳ６９に進む。ステップＳ６５において、図３１の画面Ｄ１４に示すように、オーナーＩＤメニューに“セキュリティ機能”の項目を追加して表示し、ステップＳ６６においてオーナーＩＤメニューで、ＰＩＮ番号、名前、住所、郵便番号を再登録し、ステップＳ６７で現在のセキュリティフラグＳＦの値を待避セキュリティフラグＳＦ１に待避させる。さらに、ステップＳ６８において画面Ｄ１４又はＤ１５上でセキュリティ機能のオン／オフの選択を行う。画面Ｄ１４ではセキュリティ機能をオフに設定した場合を示し、画面Ｄ１５ではセキュリティ機能をオンに設定した場合を示す。ここで、セキュリティ機能をオンしたときは、セキュリティフラグＳＦには１がセットされ、セキュリティ機能をオフしたときはセキュリティフラグＳＦは０にリセットされる。そして、図１４のステップＳ７２に進む。【００５１】  図１３のステップＳ６９では、図３３の画面Ｄ１６に示すように、オーナーＩＤメニューに“セキュリティ機能”の項目を表示せず、ステップＳ７０においてオーナーＩＤメニューで、ＰＩＮ番号、名前、住所、郵便番号を再登録する。そして、ステップＳ７１でセキュリティフラグＳＦを０にリセットし、図９のステップＳ２９のその他の通常処理に進む。【００５２】  図１３において、機器接続が未接続で（ステップＳ６２でＮＯ）、又は接続機器がセキュリティ機能を有しないとき（ステップＳ６４でＮＯ）、セキュリティ機能確認処理に入らないので、セキュリティ機能に関する入力項目を表示することを停止し、ユーザーに対して、当該テレビジョン受像機２０１がセキュリティ機能が存在することを告知しない。これにより、ユーザ��に対して余分な情報を与えず、その操作も簡単化できる。【００５３】  図１４のステップＳ７２において、ＳＦ１＝０かつＳＦ＝１であるか否かが判断され、すなわち、セキュリティ機能の設定がオフからオンに遷移したか否かが判断され、ＹＥＳのときは図８のステップＳ１４に進む一方、ＮＯのときはステップＳ７３に進む。ステップＳ７３においてＳＦ１＝１かつＳＦ＝０であるか否かが判断され、すなわち、セキュリティ機能の設定がオンからオフに遷移したか否かが判断され、ＹＥＳのときは図８のステップＳ１２に進む一方、ＮＯのときは図９のステップＳ２９のその他の通常処理に進む。【００５４】  図１５は図１０の処理の変形例を示すフローチャートであり、図１６は図１１の処理の変形例を示すフローチャートであり、図１７は図１２の処理の変形例を示すフローチャートである。図１５乃至図１７の変形例では、ＲＯＭ２０３Ａ内に予め格納されたカスタマーエンジニア用特別ＰＩＮ番号の一致処理と、所定の複数Ｎ回（例えば、Ｎは３回）以上雄ＰＩＮ番号を入力して不一致であるときに、映像信号及び音声信号処理回路２０４の動作を停止する処理を追加したことを特徴としている。ここで、特別ＰＩＮ番号は、ＲＯＭ２０３Ａに予め格納され、セキュリティ機能をキャンセルするためのパスワードとして、ユーザーが入力するＰＩＮ番号のほかに、製造者又は製造者から委託を受けて認証された例えばカスタマーエンジニアが特別ＰＩＮ番号を入力することにより、セキュリティ機能を強制的にキャンセルして、当該テレビジョン受像機２０１の動作を開始させるために設けられる。【００５５】  図１５の変形例において、ステップＳ３４とステップＳ３２との間にステップＳ３８からステップＳ３５Ｂまでの処理を挿入したことを特徴としている。ステップＳ３４においてＮＯであるとき、ステップＳ３８において、入力されたＰＩＮ番号とＲＯＭ２０３Ａ内の特別ＰＩＮ番号を比較し、ステップＳ３９でこれらのＰＩＮ番号が一致するか否かが判断され、ＹＥＳのときはステップＳ３６に進む一方、ＮＯのときはステップＳ４０に進む。ステップＳ４０では、所定の複数Ｎ回以上ＰＩＮ番号を入力しても不一致であるか否かが判断され、ＹＥＳのときはステップＳ３５Ａに進む一方、ＮＯのときはステップＳ３５Ｂに進む。ステップＳ３５Ａでは、映像信号及び音声信号処理回路２０４の動作を停止し、ステップＳ３５Ｂにおいて、図２８の画面Ｄ１１に示すように、ＰＩＮ番号が正しくないことを表示して知らせ、ＰＩＮ番号の入力を再度要求し、ステップＳ３２に進む。【００５６】  図１６の変形例において、ステップＳ４４とステップＳ４２との間にステップＳ４８からステップＳ４５Ｂまでの処理を挿入したことを特徴としている。ステップＳ４４においてＮＯであるとき、ステップＳ４８において、入力されたＰＩＮ番号とＲＯＭ２０３Ａ内の特別ＰＩＮ番号を比較し、ステップＳ４９でこれらのＰＩＮ番号が一致するか否かが判断され、ＹＥＳのときはステップＳ４６に進む一方、ＮＯのときはステップＳ５０に進む。ステップＳ５０では、所定の複数Ｎ回以上ＰＩＮ番号を入力しても不一致であるか否かが判断され、ＹＥＳのときはステップＳ４５Ａに進む一方、ＮＯのときはステップＳ４５Ｂに進む。ステップＳ４５Ａでは、映像信号及び音声信号処理回路２０４の動作を停止し、ステップＳ４５Ｂにおいて、図２６の画面Ｄ９に示すように、ＰＩＮ番号が正しくないことを表示して知らせ、ＰＩＮ番号の入力を再度要求し、ステップＳ４２に進む。【００５７】  図１７の変形例において、ステップＳ５５とステップＳ５３との間にステップＳ５８からステップＳ５６Ｃまでの処理を挿入したことを特徴としている。ステップＳ５５においてＮＯであるとき、ステップＳ５８において、入力されたＰＩＮ番号とＲＯＭ２０３Ａ内の特別ＰＩＮ番号を比較し、ステップＳ５９でこれらのＰＩＮ番号が一致するか否かが判断され、ＹＥＳのときはステップＳ５７に進む一方、ＮＯのときはステップＳ５６Ａに進む。ステップＳ５６Ａでは、セキュリティフラグＳＦが１であるか否かが判断され、すなわち、セキュリティ機能が設定されているか否かが判断され、ＹＥＳのときはステップＳ６０に進む一方、ＮＯのときはステップＳ５６Ｃに進む。ステップＳ６０では、所定の複数Ｎ回以上ＰＩＮ番号を入力しても不一致であるか否かが判断され、ＹＥＳのときはステップＳ５６Ｂに進む一方、ＮＯのときはステップＳ５６Ｃに進む。ステップＳ５６Ｂでは、映像信号及び音声信号処理回路２０４の動作を停止し、次いで、ステップＳ５６Ｃにおいて、図２８の画面Ｄ１１に示すように、ＰＩＮ番号が正しくないことを表示して知らせ、ＰＩＮ番号の入力を再度要求し、ステップＳ５３に進む。【００５８】  以上の実施形態においては、テレビジョン受像機２０１と、ＤＶＤレコーダ２０５とを含むセキュリティシステムについて開示しているが、本発明はこれに限らず、セキュリティシステムにおいて用いる電子機器は、これらに限定されず、テレビジョン受信機、セットトップボックス、ディスプレイ装置、ＤＶＤプレイヤなどの種々の電子機器を用いてもよい。また、３個以上の電子機器を機器制御ライン２０９を用いて接続してセキュリティシステムを構成してもよい。【００５９】  以上の実施形態では、赤外線信号を用いてユーザーによりキーボード２２２を用いて入力されたデータをコントローラ２０２に無線送信しているが、本発明はこれに限らず、キーボード２２２をテレビジョン受像機２０１の本体に設けてもよい。【００６０】  以上の実施形態においては、図９のステップＳ２６においてＮＯであるときは、図１０のステップＳ３１に進むが、本発明はこれに限らず、その前に、ステップＳ３５の一部の処理である「映像信号及び音声信号処理回路２０４の動作を停止する処理」を実行してもよい。
【産業上の利用可能性】
【００６１】  以上詳述したように、本発明に係る電子機器のためのセキュリティシステムによれば、機器制御ラインを介して接続された複数の電子機器のためのセキュリティシステムにおいて、接続された補助装置の電子機器の記憶手段にパスワードを登録することによって、主装置の電子機器の起動時にそのパスワードを確認することができるので、機器制御ラインが接続されている限りにおいて、主装置の電子機器と補助装置の電子機器との間でパスワードが一致すれば、ユーザーにとって通常の電源オン時の処理と同様に、当該電子機器が起動開始できる。補助装置の電子機器が接続されていないときは、主装置の電子機器を起動できないので、主装置の電子機器が盗難されても起動することができない。それ故、ユーザーにパスワードの入力など煩雑な操作を強いることなく盗難防止を実現できる。さらに、このシステムはほとんどコストアップなしに実現できるという特有の効果を有する。
【図１】
2005033915.tif 000002
【図２】
2005033915.tif 000003
【図３】
2005033915.tif 000004
【図４】
2005033915.tif 000005
【図５】
2005033915.tif 000006
【図６】
2005033915.tif 000007
【図７】
2005033915.tif 000008
【図８】
2005033915.tif 000009
【図９】
2005033915.tif 000010
【図１０】
2005033915.tif 000011
【図１１】
2005033915.tif 000012
【図１２】
2005033915.tif 000013
【図１３】
2005033915.tif 000014
【図１４】
2005033915.tif 000015
【図１５】
2005033915.tif 000016
【図１６】
2005033915.tif 000017
【図１７】
2005033915.tif 000018
【図１８】
2005033915.tif 000019
【図１９】
2005033915.tif 000020
【図２０】
2005033915.tif 000021
【図２１】
2005033915.tif 000022
【図２２】
2005033915.tif 000023
【図２３】
2005033915.tif 000024
【図２４】
2005033915.tif 000025
【図２５】
2005033915.tif 000026
【図２６】
2005033915.tif 000027
【図２７】
2005033915.tif 000028
【図２８】
2005033915.tif 000029
【図２９】
2005033915.tif 000030
【図３０】
2005033915.tif 000031
【図３１】
2005033915.tif 000032
【図３２】
2005033915.tif 000033
【図３３】
2005033915.tif 000034
【図３４】
2005033915.tif 000035
【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
機器制御ラインを介して接続された、第１の電子機器と第２の電子機器を含む複数の電子機器のためのセキュリティシステムであって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とする電子機器のためのセキュリティシステム。
【請求項２】
上記制御手段は、上記受信されたパスワードを、上記第１の記憶手段に格納されたパスワードと比較して、不一致であるとき、上記第１の電子機器の動作を停止させるようにセキュリティ機能を実行することを特徴とする請求項１記載の電子機器のためのセキュリティシステム。
【請求項３】
上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする請求項１記載の電子機器のためのセキュリティシステム。
【請求項４】
上記制御手段は、上記ユーザーにより入力されたパスワードを、上記第１の記憶手段に格納されたパスワードと比較して、不一致であるとき上記第１の電子機器の動作を停止させることを特徴とする請求項３記載の電子機器のためのセキュリティシステム。
【請求項５】
上記制御手段は、上記ユーザーにより所定の複数回入力されたパスワードを、上記第１の記憶手段に格納されたパスワードと比較して、不一致であるとき上記第１の電子機器の動作を停止させることを特徴とする請求項３記載の電子機器のためのセキュリティシステム。
【請求項６】
上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする請求項３乃至５のうちのいずれか１つに記載の電子機器のためのセキュリティシステム。
【請求項７】
上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする請求項１乃至６のうちのいずれか１つに記載の電子機器のためのセキュリティシステム。
【請求項８】
上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする請求項７記載の電子機器のためのセキュリティシステム。
【請求項９】
上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする請求項８記載の電子機器のためのセキュリティシステム。
【請求項１０】
機器制御ラインを介して接続された、第１の電子機器と第２の電子機器を含む複数の電子機器のためのセキュリティシステムに設けられた第１の電子機器であって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とするセキュリティシステムのための電子機器。
【請求項１１】
上記制御手段は、上記受信されたパスワードを、上記第１の記憶手段に格納されたパスワードと比較して、不一致であるとき、上記第１の電子機器の動作を停止させるようにセキュリティ機能を実行することを特徴とする請求項１０記載のセキュリティシステムのための電子機器。
【請求項１２】
上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする請求項１０記載のセキュリティシステムのための電子機器。
【請求項１３】
上記制御手段は、上記ユーザーにより入力されたパスワードを、上記第１の記憶手段に格納されたパスワードと比較して、不一致であるとき上記第１の電子機器の動作を停止させることを特徴とする請求項１２記載のセキュリティシステムのための電子機器。
【請求項１４】
上記制御手段は、上記ユーザーにより所定の複数回入力されたパスワードを、上記第１の記憶手段に格納されたパスワードと比較して、不一致であるとき上記第１の電子機器の動作を停止させることを特徴とする請求項１２記載のセキュリティシステムのための電子機器。
【請求項１５】
上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする請求項１２乃至１４のうちのいずれか１つに記載のセキュリティシステムのための電子機器。
【請求項１６】
上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする請求項１０乃至１５のうちのいずれか１つに記載のセキュリティシステムのための電子機器。
【請求項１７】
上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする請求項１６記載のセキュリティシステムのための電子機器。
【請求項１８】
上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする請求項１７記載のセキュリティシステムのための電子機器。
【手続補正２】
【補正対象書類名】明細書
【補正対象項目名】全文
【補正方法】変更
【補正の内容】
【発明の詳細な説明】
【技術分野】
【０００１】
本発明は、例えばテレビジョン受像機とＤＶＤレコーダとの間など、複数の電子機器のためのセキュリティシステムとその電子機器に関する。
【背景技術】
【０００２】
従来の電子機器の盗難防止対策として、例えば、特許文献１において、以下の盗難防止装置が開示されている。例えば音響機器の盗難予防のために予めパスワードを設定してそれを不揮発性メモリに記憶させておき、次回の電源オン時にユーザーにパスワードの入力を求め、入力されたパスワードが不揮発性メモリに記憶させた内容と一致した場合に通常通り電源オンさせ、一致しなかった場合には、音響機器を動作させない。この装置では、そのパスワードの読み取り手法にも工夫を加えてセキュリティの強化を行っている。
【０００３】
図２は、従来技術に係る特許文献１に記載された盗難防止装置を示すものである。図２において、当該盗難防止装置は、音響機器１０３の動作を制御するマイクロプロセッサ１０１と、所定のシステムの情報を保存する不揮発性メモリ１０２と、音響機器１０３とを備えて構成される。
【０００４】
ここで、マイクロプロセッサ１０１は、電源オン時のパスワードを予め設定する設定メニューを画面上でユーザーに提供し、その設定メニューでユーザーが入力したパスワードを不揮発性メモリ１０２に記憶して登録する。パスワードの登録後、ユーザーが音響機器１０３の電源をオンすると、マイクロプロセッサ１０１は、音響機器１０３を動作させる前にパスワード入力画面を表示し、ユーザーにパスワードの入力を求める。マイクロプロセッサ１０１は、入力されたパスワードが不揮発性メモリ１０２に記憶させたパスワードと一致すれば、音響機器１０３を通常通り動作させる。一方、パスワードが一致しなければ、盗難防止のために当該音響機器１０３の動作を中止する。なお、当該盗難防止装置では、不揮発性メモリ１０２に記憶されたパスワードを容易に読み取られない工夫が施されている。
【０００５】
【特許文献１】日本国特許出願公開平成２年０４２８２３号公報
【発明の開示】
【発明が解決しようとする課題】
【０００６】
しかしながら、上記従来技術に係る盗難防止装置では、ユーザーが音響機器１０３の電源を入れる毎に、毎回パスワードの入力が必要となり、ユーザーに煩雑な操作を強要することになる。また、パスワードを登録した本人しか音響機器１０３を動作させることができないという問題点があった。
【０００７】
本発明の目的は以上の問題点を解決し、電子機器の電源をオンする毎にパスワードを入力する必要はなく、盗難防止などのセキュリティを強化できる電子機器のためのセキュリティシステムとその電子機器を提供することにある。
【課題を解決するための手段】
【０００８】
第１の発明に係る電子機器のためのセキュリティシステムは、機器制御ラインを介して接続された、第１の電子機器と第２の電子機器を含む複数の電子機器のためのセキュリティシステムであって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とする。
【０００９】
上記電子機器のためのセキュリティシステムにおいて、上記制御手段は、上記受信されたパスワードを、上記第１の記憶手段に格納されたパスワードと比較して、不一致であるとき、上記第１の電子機器の動作を停止させるようにセキュリティ機能を実行することを特徴とする。
【００１０】
また、上記電子機器のためのセキュリティシステムにおいて、上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする。
【００１１】
さらに、上記電子機器のためのセキュリティシステムにおいて、上記制御手段は、上記ユーザーにより入力されたパスワードを、上記第１の記憶手段に格納されたパスワードと比較して、不一致であるとき上記第１の電子機器の動作を停止させることを特徴とする。
【００１２】
またさらに、上記電子機器のためのセキュリティシステムにおいて、上記制御手段は、上記ユーザーにより所定の複数回入力されたパスワードを、上記第１の記憶手段に格納されたパスワードと比較して、不一致であるとき上記第１の電子機器の動作を停止させることを特徴とする。
【００１３】
上記電子機器のためのセキュリティシステムにおいて、上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする。
【００１４】
また、上記電子機器のためのセキュリティシステムにおいて、上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする。
【００１５】
さらに、上記電子機器のためのセキュリティシステムにおいて、例えばセキュリティ機能が設定されていないとき、上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする。
【００１６】
またさらに、上記電子機器のためのセキュリティシステムにおいて、上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする。
【００１７】
第２の発明に係るセキュリティシステムのための電子機器は、機器制御ラインを介して接続された、第１の電子機器と第２の電子機器を含む複数の電子機器のためのセキュリティシステムに設けられた第１の電子機器であって、
上記第２の電子機器は、パスワードを予め格納した第２の記憶手段を備え、
上記第１の電子機器は、
パスワードを予め格納した第１の記憶手段と、
上記第１の電子機器の起動時に、上記第２の電子機器に対して上記第２の記憶手段に格納されたパスワードを送信するように要求し、上記第２の電子機器からのパスワードを受信し、上記受信されたパスワードを、上記第１の記憶手段に格納されたパスワードと比較して、一致したとき、上記第１の電子機器の動作を開始させるようにセキュリティ機能を実行する制御手段とを備えたことを特徴とする。
【００１８】
上記セキュリティシステムのための電子機器において、上記制御手段は、上記受信されたパスワードを、上記第１の記憶手段に格納されたパスワードと比較して、不一致であるとき、上記第１の電子機器の動作を停止させるようにセキュリティ機能を実行することを特徴とする。
【００１９】
また、上記セキュリティシステムのための電子機器において、上記第１の電子機器は、ユーザーに対するメッセージを表示する表示手段と、パスワードを入力するための入力手段とをさらに備え、
上記制御手段は、上記受信されたパスワードを、上記第１の記憶手段に格納されたパスワードと比較して、不一致であるとき、ユーザーに対してパスワードの入力を要求するように上記表示手段に表示し、上記ユーザーにより上記入力手段を用いて入力されたパスワードを、上記第１の記憶手段に格納されたパスワードと比較して、一致したとき上記第１の電子機器の動作を開始させることを特徴とする。
【００２０】
さらに、上記セキュリティシステムのための電子機器において、上記制御手段は、上記ユーザーにより入力されたパスワードを、上記第１の記憶手段に格納されたパスワードと比較して、不一致であるとき上記第１の電子機器の動作を停止させることを特徴とする。
【００２１】
またさらに、上記セキュリティシステムのための電子機器において、上記制御手段は、上記ユーザーにより所定の複数回入力されたパスワードを、上記第１の記憶手段に格納されたパスワードと比較して、不一致であるとき上記第１の電子機器の動作を停止させることを特徴とする。
【００２２】
上記セキュリティシステムのための電子機器において、上記第１の電子機器は、上記パスワードとは別の特別パスワードを予め格納した第３の記憶手段をさらに備え、
上記制御手段は、上記入力されたパスワードを、上記第３の記憶手段に格納された特別パスワードと比較して、一致したとき、上記第１の電子機器の動作を開始させることを特徴とする。
【００２３】
また、上記セキュリティシステムのための電子機器において、上記第１の電子機器は、
上記第１の電子機器に上記第２の電子機器が上記機器制御ラインを介して接続されているか否かを検出する第１の検出手段と、
上記第１の検出手段により上記第１の電子機器に上記第２の電子機器が接続されていることを検出したとき、上記機器制御ラインの制御信号を用いて、上記第２の電子機器がセキュリティ機能を有するか否かを検出する第２の検出手段とをさらに備え、
上記制御手段は、上記第１の電子機器の動作中において上記第１の検出手段と上記第２の検出手段の処理を実行することを特徴とする。
【００２４】
さらに、上記セキュリティシステムのための電子機器において、上記制御手段は、上記第１の検出手段により上記第１の電子機器に上記第２の電子機器が接続されていないことを検出したとき、上記セキュリティ機能の処理を停止し、上記第１の電子機器の通常動作を開始させることを特徴とする。
【００２５】
またさらに、上記セキュリティシステムのための電子機器において、例えばセキュリティ機能が設定されていないとき、上記制御手段は、上記第２の検出手段により上記第２の電子機器が上記セキュリティ機能を有しないことを検出したとき、上記セキュリティ機能の処理を停止し、上記第１の電子機器の通常動作を開始させることを特徴とする。
【発明の効果】
【００２６】
従って、本発明に係る電子機器のためのセキュリティシステムによれば、機器制御ラインを介して接続された複数の電子機器のためのセキュリティシステムにおいて、接続された補助装置の電子機器の記憶手段にパスワードを登録することによって、主装置の電子機器の起動時にそのパスワードを確認することができるので、機器制御ラインが接続されている限りにおいて、主装置の電子機器と補助装置の電子機器との間でパスワードが一致すれば、ユーザーにとって通常の電源オン時の処理と同様に、当該電子機器が起動開始できる。補助装置の電子機器が接続されていないときは、主装置の電子機器を起動できないので、主装置の電子機器が盗難されても起動することができない。それ故、ユーザーにパスワードの入力など煩雑な操作を強いることなく盗難防止を実現できる。さらに、このシステムはほとんどコストアップなしに実現できるという特有の効果を有する。
【発明を実施するための最良の形態】
【００２７】
以下、本発明に係る実施形態について図面を参照して説明する。
【００２８】
図１は、本発明の実施形態に係る、テレビジョン受像機２０１とＤＶＤレコーダ２０５を含むセキュリティシステムの構成を示すブロック図である。本実施形態に係るセキュリティシステムは、機器制御ライン２０９を介して接続された、テレビジョン受像機２０１と、ＤＶＤレコーダ２０５とを備えて構成される。ここで、ＤＶＤレコーダ２０５はパスワードを予め格納した不揮発性メモリ２０７を含む。テレビジョン受像機２０１はパスワードを予め格納した不揮発性メモリ２０３とコントローラ２０２とを含む。コントローラ２０２はテレビジョン受像機２０１の起動時に、図６の通信手順Ｐ４を用いて、ＤＶＤレコーダ２０５に対して不揮発性メモリ２０７に格納されたパスワードを送信するように要求し、ＤＶＤレコーダ２０５からのパスワードを受信し、受信されたパスワードを、不揮発性メモリ２０３内のパスワードと比較して（図９のステップＳ２５）、一致したとき（ステップＳ２６でＹＥＳ）テレビジョン受像機２０１の動作を開始させる（ステップＳ２６Ａ）ことを特徴としている。本実施形態では、パスワードとして、ＰＩＮ番号（Personal Identification Number）を用いる。
【００２９】
図１において、主装置であるテレビジョン受像機２０１は、その動作を制御するコントローラ２０２と、パスワードであるＰＩＮ番号などのデータを格納する、例えばＥＥＰＲＯＭ又はフラッシュメモリなどの不揮発性メモリ２０３と、例えばカスタマーエンジニア用特別ＰＩＮ番号などのデータを格納するＲＯＭ（読み出し専用メモリ）２０３Ａと、映像信号及び音声信号処理回路２０４と、ディスプレイ２０４Ａと、リモートコントローラ２２１の赤外線信号送信機２２３からの赤外線信号を受信する赤外線信号受信機２２０とを備えて構成される。また、テレビジョン受像機２０１には、その動作をユーザーが遠隔制御するためのリモートコントローラ２２１が付属されており、リモートコントローラ２２１は、パスワードや選局データなどのデータを入力するためのキーボード２２２と、入力されたデータを赤外線信号受信機２２０に送信する赤外線信号送信機２２３とを備えて構成される。
【００３０】
ＤＶＤレコーダ２０５は、その動作を制御するコントローラ２０６と、コントローラ２０６に接続されパスワードであるＰＩＮ番号やセキュリティ機能を有するか否かの情報などのデータを格納する、例えばＥＥＰＲＯＭ又はフラッシュメモリなどの不揮発性メモリ２０３と、映像信号及び音声信号処理回路２０８と、ＤＶＤドライブ装置２０８Ａとを備えて構成される。ここで、テレビジョン受像機２０１のコントローラ２０２と、ＤＶＤレコーダ２０５のコントローラ２０６との間は、例えば、欧州における電子機器において用いられる２１ピンスカートケーブル、ＨＤＭＩ（High Definition Multimedia Interface）ケーブル、ＩＥＥＥ１３９４に準拠した制御ケーブルなど電子機器間の制御に用いるための機器制御ライン２０９を介して接続されており、コントローラ２０２，２０６はその間で図３乃至図６を参照して説明する通信手順Ｐ１乃至Ｐ４を用いて種々の信号を送受信する。本実施形態において、当該機器制御ライン２０９を用いた接続を、「機器接続」という。また、映像信号及び音声信号処理回路２０４と、映像信号及び音声信号処理回路２０８との間は、映像信号ライン２１０及び音声信号ライン２１１とにより接続されている。映像信号及び音声信号処理回路２０８は、コントローラ２０６によりその動作が制御され、ＤＶＤドライブ装置２０８Ａで再生された映像信号及び音声信号に対して所定の信号処理を実行した後、映像信号ライン２１０及び音声信号ライン２１１を介して映像信号及び音声信号処理回路２０４に送信する。
【００３１】
テレビジョン受像機２０１に付属されたリモートコントローラ２２１において、キーボード２２２は、例えば図１９の画面Ｄ２に示すように、中央キーを含む十字キー、テンキー、機能キーなどを含む。ユーザーはキーボード２２２を用いてパスワードや選局情報などのデータを入力し、当該データは赤外線信号送信機２２３により赤外線信号受信機２２０に無線送信された後、コントローラ２０２に出力される。不揮発性メモリ２０３に格納されたＰＩＮ番号などのデータはコントローラ２０２により読み出され、ＲＯＭ２０３Ａに格納された特別ＰＩＮ番号などのデータはコントローラ２０２により読み出される。映像信号及び音声信号処理回路２０４は、コントローラ２０２によりその動作が制御され、映像信号及び音声信号処理回路２０８からの映像信号及び音声信号を受信して、それらに対して所定の信号処理を実行した後、ディスプレイ２０４Ａ及びスピーカ（図示せず。）に出力する。
【００３２】
次いで、図３乃至図６を参照して、主装置であるテレビジョン受像機２０１のコントローラ２０２と、補助装置であるＤＶＤレコーダ２０５のコントローラ２０６との間で機器制御ライン２０９を介して実行される種々の通信手順Ｐ１乃至Ｐ４について以下に説明する。
【００３３】
図３は図１のコントローラ２０２とコントローラ２０６との間の通信手順Ｐ１を示すシーケンス図である。図３において、コントローラ２０２は、接続確認信号をコントローラ２０６に送信し、これに応答して、コントローラ２０６は、当該接続確認信号を受信したときに接続確認ＡＣＫ信号（ＡＣＫは肯定応答（Acknowledgment）の略である。）をコントローラ２０２に返信する。これにより、機器制御ライン２０９を介した機器接続が正常に接続されていることを確認できる。
【００３４】
図４は図１のコントローラ２０２とコントローラ２０６との間の通信手順Ｐ２を示すシーケンス図である。図４において、コントローラ２０２は、セキュリティ機能確認信号をコントローラ２０６に送信し、これに応答して、コントローラ２０６は、ＤＶＤレコーダ２０５がセキュリティ機能を有しているか否かの情報を不揮発性メモリ２０７から読み出して、セキュリティ機能を有しているときにセキュリティ機能ＡＣＫ信号をコントローラ２０２に返信する一方、セキュリティ機能を有していないときにセキュリティ機能ＡＣＫ信号をコントローラ２０２に返信しない。これにより、ＤＶＤレコーダ２０５がセキュリティ機能を有しているか否かを確認できる。
【００３５】
図５は図１のコントローラ２０２とコントローラ２０６との間の通信手順Ｐ３を示すシーケンス図である。図５において、コントローラ２０２は、書き込むべきパスワードを含むパスワード書込要求信号をコントローラ２０６に送信し、これに応答して、コントローラ２０６は、パスワード書込要求信号に含まれるパスワードを不揮発性メモリ２０７に書き込んだ後、パスワード書込ＡＣＫ信号をコントローラ２０２に返信する。これにより、コントローラ２０２からコントローラ２０６を介して不揮発性メモリ２０７にパスワードを書き込むことができ、その結果を確認できる。
【００３６】
図６は図１のコントローラ２０２とコントローラ２０６との間の通信手順Ｐ４を示すシーケンス図である。図６において、コントローラ２０２は、不揮発性メモリ２０７に格納されたパスワードを要求するパスワード要求信号をコントローラ２０６に送信し、これに応答して、コントローラ２０６は、不揮発性メモリ２０７に格納されたパスワードを読み出し、当該パスワードを含むパスワード返信信号をコントローラ２０２に返信する。これにより、コントローラ２０２からコントローラ２０６を介して不揮発性メモリ２０７に格納されたパスワードを読み出して受信できる。
【００３７】
図７は図１のコントローラ２０２によって実行される出荷後最初の電源オン時処理を示すフローチャートである。なお、以下のすべての制御処理において、画面はすべてディスプレイ２０４Ａに表示される。また、図１８乃至図３４にそれぞれ図示された画面Ｄ１乃至Ｄ１７はそれぞれ一例を示している。
【００３８】
図７において、まず、ステップＳ１で、図１８の画面Ｄ１を表示して、自動チューニングプリセット処理を含む自動セットアップ処理を実行し、ステップＳ２においてユーザー登録画面であるオーナーＩＤ（Identification）画面である図１９の画面Ｄ２を表示する。次いで、ユーザーは、画面Ｄ２上でＰＩＮ番号（４桁数字）、名前、住所、郵便番号を含むユーザー登録情報をキーボード２２２を用いて入力する。そして、ステップＳ４において通信手順Ｐ１により機器接続を確認し、ステップＳ５において機器接続はＯＫか否かが判断され、ＹＥＳのときはステップＳ６に進む一方、ＮＯのときはステップＳ１０に進む。ステップＳ６において通信手順Ｐ２により接続機器であるＤＶＤレコーダ２０５のセキュリティ機能を確認し、ステップＳ７において接続機器はセキュリティ機能を有するか否かが判断され、ＹＥＳのときはステップＳ８に進む一方、ＮＯのときはステップＳ１０に進む。ステップＳ８において、セキュリティ機能の使用確認画面（図２０の画面Ｄ３）を表示し、ステップＳ９のセキュリティ機能確認処理（図８）において、ユーザーに対してセキュリティ機能を使用するか否かの確認を行い、ステップＳ１０に進む。ユーザーがセキュリティ機能を使用するときは、画面Ｄ３においてＹＥＳを選択し、使用しないときは画面Ｄ３においてＮＯを選択する。ステップＳ１０において、図３４の画面Ｄ１７に示すように、通常選局画面で番組ポジション“１”を選局した後、当該処理を終了して通常処理（例えば、図９のステップＳ２９に進む。）を実行する。
【００３９】
図７において、機器接続が未接続で（ステップＳ５でＮＯ）、又は接続機器がセキュリティ機能を有しないとき（ステップＳ７でＮＯ）、セキュリティ機能確認処理に入らないので、セキュリティ機能に関する入力項目を表示することを停止し、ユーザーに対して、当該テレビジョン受像機２０１にセキュリティ機能が存在することを告知しない。これにより、ユーザーに対して余分な情報を与えず、その操作も簡単化できる。
【００４０】
図８は図７のサブルーチンであるセキュリティ機能確認処理（ステップＳ９）を示すフローチャートである。
【００４１】
図８において、まず、ステップＳ１１においてセキュリティ機能を使用するか否かが判断され、ステップＳ１２において、図２４の画面Ｄ７に示すように、セキュリティ機能を使用しないことを示すメッセージを２秒間表示し、セキュリティフラグＳＦを０にリセットした後、元のメインルーチンに戻る。ここで、セキュリティフラグＳＦは、０に設定されたときセキュリティ機能を使用することを示す一方、１に設定されたときセキュリティ機能を使用しないことを示す。一方、ステップＳ１４において、セキュリティ機能を使用するという選択の再確認の画面Ｄ４（図２１）を表示し、ＯＫであるときに、ステップＳ１５において使用するという選択の再々確認の画面Ｄ５（図２２）を表示し、さらにＯＫであるときに、ステップＳ１６に進む。ステップＳ１６において、通信手順Ｐ３により、ステップＳ３で入力されたＰＩＮ番号を不揮発性メモリ２０７に書き込むようにコントローラ２０６に指示し、ステップＳ１７においてパスワードＡＣＫ信号を受信したか否かが判断され、ＹＥＳとなるまでステップＳ１７の処理を繰り返し、ＹＥＳとなったときに、ステップＳ１８において、不揮発性メモリ２０３にＰＩＮ番号を書き込む。そして、ステップＳ１９において、図２３の画面Ｄ６に示すように、セキュリティ機能が組み込まれたことを示すメッセージを２秒間表示し、セキュリティフラグＳＦを１にセットした後、元のメインルーチンに戻る。
【００４２】
図９乃至図１１は、図１のコントローラ２０２によって実行される機器制御処理を示すフローチャートである。
【００４３】
図９のステップＳ２１において通信手順Ｐ１により機器接続を確認し、ステップＳ２２において機器接続はＯＫか否かが判断され、ＹＥＳのときはステップＳ２３に進む一方、ＮＯのときは図１１のステップＳ４１に進む。ステップＳ２３において通信手順Ｐ２により接続機器であるＤＶＤレコーダ２０５のセキュリティ機能の有無を確認し、ステップＳ２４においてセキュリティ機能を有するか否かが判断され、ＹＥＳのときはステップＳ２５に進む一方、ＮＯのときは図１０のステップＳ３１に進む。ステップＳ２５において、通信手順Ｐ４により不揮発性メモリ２０７内のＰＩＮ番号の送信を要求してコントローラ２０６から機器制御ライン２０９を介して当該ＰＩＮ番号を受信し、受信したＰＩＮ番号を、不揮発性メモリ２０３内のＰＩＮ番号を比較する。ステップＳ２６においてこれらのＰＩＮ番号は一致するか否かが判断され、ＹＥＳのときはステップＳ２６Ａに進む一方、ＮＯのときは図１０のステップＳ３１に進む。ステップＳ２６Ａにおいて、映像信号及び音声信号処理回路２０４の動作を開始し、又は動作可能状態を継続させ、ステップＳ２７において、所定のメニュー画面においてオーナーＩＤメニューを選択したか否かが判断され、ＹＥＳのときはステップＳ２８に進む一方、ＮＯのときはステップＳ２９に進む。ステップＳ２８では、図１２乃至図１４のオーナーＩＤ再登録処理を実行した後、ステップＳ２１に戻る。ステップＳ２９においてその他の通常処理を実行した後、ステップＳ２１に戻る。
【００４４】
図１０のステップＳ３１においては、図２７の画面Ｄ１０に示すように、接続機器が変更されたことを示すメッセージを表示し、セキュリティ機能をキャンセルするためのＰＩＮ番号の入力（４桁数字）を促し、ステップＳ３２においてＰＩＮ番号を入力したか否かが判断され、ＹＥＳのときはステップＳ３３に進む一方、ＮＯのときはステップＳ３２に戻る。ステップＳ３３において入力されたＰＩＮ番号と不揮発性メモリ２０３内のＰＩＮ番号を比較し、ステップＳ３４においてこれらのＰＩＮ番号は一致するか否かが判断され、ＹＥＳのときはステップＳ３６に進む一方、ＮＯのときはステップＳ３５に進む。ステップＳ３５において映像信号及び音声信号処理回路２０４の動作を停止し、図２８の画面Ｄ１１に示すように、ＰＩＮ番号が正しくないことを表示して知らせ、ＰＩＮ番号の入力を再度要求し、ステップＳ３２に戻る。さらに、ステップＳ３６では、映像信号及び音声信号処理回路２０４の動作を開始し、ステップＳ３７においてセキュリティフラグＳＦを０にリセットすることによりセキュリティ機能をキャンセルした後、図９のステップＳ２９に進む。
【００４５】
さらに、図１１のステップＳ４１において、図２５の画面Ｄ８に示すように、接続機器が切り離されたために、セキュリティ機能が動作していることを知らせるメッセージを表示し、セキュリティ機能をキャンセルしたい場合は、ＰＩＮ番号を入力するように促し、ステップＳ４２においてＰＩＮ番号を入力したか否かが判断され、ＹＥＳのときはステップＳ４３に進む一方、ＮＯのときはステップＳ４２に戻る。ステップＳ４３において入力されたＰＩＮ番号と不揮発性メモリ２０３内のＰＩＮ番号を比較し、ステップＳ４４においてこれらのＰＩＮ番号は一致するか否かが判断され、ＹＥＳのときはステップＳ４６に進む一方、ＮＯのときはステップＳ４５に進む。ステップＳ４５において映像信号及び音声信号処理回路２０４の動作を停止し、図２６の画面Ｄ９に示すように、ＰＩＮ番号が正しくないことを表示して知らせ、ＰＩＮ番号の入力を再度要求した後、ステップＳ４２に戻る。ステップＳ４６では、映像信号及び音声信号処理回路２０４の動作を開始し、ステップＳ４７においてセキュリティフラグＳＦを０にリセットすることによりセキュリティ機能をキャンセルした後、図９のステップＳ２９に進む。
【００４６】
図１２乃至図１４は、図９のサブルーチンであるオーナーＩＤの再登録時処理（ステップＳ２８）を示すフローチャートである。
【００４７】
図１２のステップＳ５１において、図２９の画面Ｄ１２に示すように、オーナーＩＤメニューを表示し、ステップＳ５２においてＰＩＮ番号（４桁数字）を入力するように促し、ステップＳ５３においてＰＩＮ番号を入力したか否かが判断され、ＹＥＳのときはステップＳ５４に進む一方、ＮＯのときはステップＳ５３に戻る。ステップＳ５４において入力されたＰＩＮ番号と不揮発性メモリ２０３内のＰＩＮ番号を比較し、ステップＳ５５においてこれらのＰＩＮ番号は一致するか否かが判断され、ＹＥＳのときはステップＳ５７に進む一方、ＮＯのときはステップＳ５６Ａに進む。ステップＳ５６Ａでは、セキュリティフラグＳＦが１であるか否かが判断され、すなわち、セキュリティ機能が設定されているか否かが判断され、ＹＥＳのときはステップＳ５６Ｂに進む一方、ＮＯのときはステップＳ５６Ｃに進む。ステップＳ５６Ｂでは、映像信号及び音声信号処理回路２０４の動作を停止し、次いで、ステップＳ５６Ｃでは、図３０の画面Ｄ１３に示すように、ＰＩＮ番号が正しくないことを表示して知らせ、ＰＩＮ番号の入力を再度要求した後、ステップＳ５３に戻る。ステップＳ５７では、映像信号及び音声信号処理回路２０４の動作を開始し、図１３のステップＳ６１に進む。
【００４８】
図１３のステップＳ６１において通信手順Ｐ１により機器接続を確認し、ステップＳ６２において機器接続はＯＫか否かが判断され、ＹＥＳのときはステップＳ６３に進む一方、ＮＯのときはステップＳ６９に進む。ステップＳ６３において通信手順Ｐ２によりＤＶＤレコーダ２０５のセキュリティ機能の有無を確認し、ステップＳ６４においてセキュリティ機能を有するか否かが判断され、ＹＥＳのときはステップＳ６５に進む一方、ＮＯのときはステップＳ６９に進む。ステップＳ６５において、図３１の画面Ｄ１４に示すように、オーナーＩＤメニューに“セキュリティ機能”の項目を追加して表示し、ステップＳ６６においてオーナーＩＤメニューで、ＰＩＮ番号、名前、住所、郵便番号を再登録し、ステップＳ６７で現在のセキュリティフラグＳＦの値を待避セキュリティフラグＳＦ１に待避させる。さらに、ステップＳ６８において画面Ｄ１４又はＤ１５上でセキュリティ機能のオン／オフの選択を行う。画面Ｄ１４ではセキュリティ機能をオフに設定した場合を示し、画面Ｄ１５ではセキュリティ機能をオンに設定した場合を示す。ここで、セキュリティ機能をオンしたときは、セキュリティフラグＳＦには１がセットされ、セキュリティ機能をオフしたときはセキュリティフラグＳＦは０にリセットされる。そして、図１４のステップＳ７２に進む。
【００４９】
図１３のステップＳ６９では、図３３の画面Ｄ１６に示すように、オーナーＩＤメニューに“セキュリティ機能”の項目を表示せず、ステップＳ７０においてオーナーＩＤメニューで、ＰＩＮ番号、名前、住所、郵便番号を再登録する。そして、ステップＳ７１でセキュリティフラグＳＦを０にリセットし、図９のステップＳ２９のその他の通常処理に進む。
【００５０】
図１３において、機器接続が未接続で（ステップＳ６２でＮＯ）、又は接続機器がセキュリティ機能を有しないとき（ステップＳ６４でＮＯ）、セキュリティ機能確認処理に入らないので、セキュリティ機能に関する入力項目を表示することを停止し、ユーザーに対して、当該テレビジョン受像機２０１がセキュリティ機能が存在することを告知しない。これにより、ユーザーに対して余分な情報を与えず、その操作も簡単化できる。
【００５１】
図１４のステップＳ７２において、ＳＦ１＝０かつＳＦ＝１であるか否かが判断され、すなわち、セキュリティ機能の設定がオフからオンに遷移したか否かが判断され、ＹＥＳのときは図８のステップＳ１４に進む一方、ＮＯのときはステップＳ７３に進む。ステップＳ７３においてＳＦ１＝１かつＳＦ＝０であるか否かが判断され、すなわち、セキュリティ機能の設定がオンからオフに遷移したか否かが判断され、ＹＥＳのときは図８のステップＳ１２に進む一方、ＮＯのときは図９のステップＳ２９のその他の通常処理に進む。
【００５２】
図１５は図１０の処理の変形例を示すフローチャートであり、図１６は図１１の処理の変形例を示すフローチャートであり、図１７は図１２の処理の変形例を示すフローチャートである。図１５乃至図１７の変形例では、ＲＯＭ２０３Ａ内に予め格納されたカスタマーエンジニア用特別ＰＩＮ番号の一致処理と、所定の複数Ｎ回（例えば、Ｎは３回）以上ＰＩＮ番号を入力して不一致であるときに、映像信号及び音声信号処理回路２０４の動作を停止する処理を追加したことを特徴としている。ここで、特別ＰＩＮ番号は、ＲＯＭ２０３Ａに予め格納され、セキュリティ機能をキャンセルするためのパスワードとして、ユーザーが入力するＰＩＮ番号のほかに、製造者又は製造者から委託を受けて認証された例えばカスタマーエンジニアが特別ＰＩＮ番号を入力することにより、セキュリティ機能を強制的にキャンセルして、当該テレビジョン受像機２０１の動作を開始させるために設けられる。
【００５３】
図１５の変形例において、ステップＳ３４とステップＳ３２との間にステップＳ３８からステップＳ３５Ｂまでの処理を挿入したことを特徴としている。ステップＳ３４においてＮＯであるとき、ステップＳ３８において、入力されたＰＩＮ番号とＲＯＭ２０３Ａ内の特別ＰＩＮ番号を比較し、ステップＳ３９でこれらのＰＩＮ番号が一致するか否かが判断され、ＹＥＳのときはステップＳ３６に進む一方、ＮＯのときはステップＳ４０に進む。ステップＳ４０では、所定の複数Ｎ回以上ＰＩＮ番号を入力しても不一致であるか否かが判断され、ＹＥＳのときはステップＳ３５Ａに進む一方、ＮＯのときはステップＳ３５Ｂに進む。ステップＳ３５Ａでは、映像信号及び音声信号処理回路２０４の動作を停止し、ステップＳ３５Ｂにおいて、図２８の画面Ｄ１１に示すように、ＰＩＮ番号が正しくないことを表示して知らせ、ＰＩＮ番号の入力を再度要求し、ステップＳ３２に進む。
【００５４】
図１６の変形例において、ステップＳ４４とステップＳ４２との間にステップＳ４８からステップＳ４５Ｂまでの処理を挿入したことを特徴としている。ステップＳ４４においてＮＯであるとき、ステップＳ４８において、入力されたＰＩＮ番号とＲＯＭ２０３Ａ内の特別ＰＩＮ番号を比較し、ステップＳ４９でこれらのＰＩＮ番号が一致するか否かが判断され、ＹＥＳのときはステップＳ４６に進む一方、ＮＯのときはステップＳ５０に進む。ステップＳ５０では、所定の複数Ｎ回以上ＰＩＮ番号を入力しても不一致であるか否かが判断され、ＹＥＳのときはステップＳ４５Ａに進む一方、ＮＯのときはステップＳ４５Ｂに進む。ステップＳ４５Ａでは、映像信号及び音声信号処理回路２０４の動作を停止し、ステップＳ４５Ｂにおいて、図２６の画面Ｄ９に示すように、ＰＩＮ番号が正しくないことを表示して知らせ、ＰＩＮ番号の入力を再度要求し、ステップＳ４２に進む。
【００５５】
図１７の変形例において、ステップＳ５５とステップＳ５３との間にステップＳ５８からステップＳ５６Ｃまでの処理を挿入したことを特徴としている。ステップＳ５５においてＮＯであるとき、ステップＳ５８において、入力されたＰＩＮ番号とＲＯＭ２０３Ａ内の特別ＰＩＮ番号を比較し、ステップＳ５９でこれらのＰＩＮ番号が一致するか否かが判断され、ＹＥＳのときはステップＳ５７に進む一方、ＮＯのときはステップＳ５６Ａに進む。ステップＳ５６Ａでは、セキュリティフラグＳＦが１であるか否かが判断され、すなわち、セキュリティ機能が設定されているか否かが判断され、ＹＥＳのときはステップＳ６０に進む一方、ＮＯのときはステップＳ５６Ｃに進む。ステップＳ６０では、所定の複数Ｎ回以上ＰＩＮ番号を入力しても不一致であるか否かが判断され、ＹＥＳのときはステップＳ５６Ｂに進む一方、ＮＯのときはステップＳ５６Ｃに進む。ステップＳ５６Ｂでは、映像信号及び音声信号処理回路２０４の動作を停止し、次いで、ステップＳ５６Ｃにおいて、図２８の画面Ｄ１１に示すように、ＰＩＮ番号が正しくないことを表示して知らせ、ＰＩＮ番号の入力を再度要求し、ステップＳ５３に進む。
【００５６】
以上の実施形態においては、テレビジョン受像機２０１と、ＤＶＤレコーダ２０５とを含むセキュリティシステムについて開示しているが、本発明はこれに限らず、セキュリティシステムにおいて用いる電子機器は、これらに限定されず、テレビジョン受信機、セットトップボックス、ディスプレイ装置、ＤＶＤプレイヤなどの種々の電子機器を用いてもよい。また、３個以上の電子機器を機器制御ライン２０９を用いて接続してセキュリティシステムを構成してもよい。
【００５７】
以上の実施形態では、赤外線信号を用いてユーザーによりキーボード２２２を用いて入力されたデータをコントローラ２０２に無線送信しているが、本発明はこれに限らず、キーボード２２２をテレビジョン受像機２０１の本体に設けてもよい。
【００５８】
以上の実施形態においては、図９のステップＳ２６においてＮＯであるときは、図１０のステップＳ３１に進むが、本発明はこれに限らず、その前に、ステップＳ３５の一部の処理である「映像信号及び音声信号処理回路２０４の動作を停止する処理」を実行してもよい。
【産業上の利用可能性】
【００５９】
以上詳述したように、本発明に係る電子機器のためのセキュリティシステムによれば、機器制御ラインを介して接続された複数の電子機器のためのセキュリティシステムにおいて、接続された補助装置の電子機器の記憶手段にパスワードを登録することによって、主装置の電子機器の起動時にそのパスワードを確認することができるので、機器制御ラインが接続されている限りにおいて、主装置の電子機器と補助装置の電子機器との間でパスワードが一致すれば、ユーザーにとって通常の電源オン時の処理と同様に、当該電子機器が起動開始できる。補助装置の電子機器が接続されていないときは、主装置の電子機器を起動できないので、主装置の電子機器が盗難されても起動することができない。それ故、ユーザーにパスワードの入力など煩雑な操作を強いることなく盗難防止を実現できる。さらに、このシステムはほとんどコストアップなしに実現できるという特有の効果を有する。
【図面の簡単な説明】
【００６０】
【図１】本発明の実施形態に係る、テレビジョン受像機２０１とＤＶＤレコーダ２０５を含むセキュリティシステムの構成を示すブロック図である。
【図２】従来技術に係る盗難防止装置の構成を示すブロック図である。
【図３】図１のコントローラ２０２とコントローラ２０６との間の通信手順Ｐ１を示すシーケンス図である。
【図４】図１のコントローラ２０２とコントローラ２０６との間の通信手順Ｐ２を示すシーケンス図である。
【図５】図１のコントローラ２０２とコントローラ２０６との間の通信手順Ｐ３を示すシーケンス図である。
【図６】図１のコントローラ２０２とコントローラ２０６との間の通信手順Ｐ４を示すシーケンス図である。
【図７】図１のコントローラ２０２によって実行される出荷後最初の電源オン時処理を示すフローチャートである。
【図８】図７のサブルーチンであるセキュリティ機能確認処理（ステップＳ９）を示すフローチャートである。
【図９】図１のコントローラ２０２によって実行される機器制御処理の第１の部分を示すフローチャートである。
【図１０】図１のコントローラ２０２によって実行される機器制御処理の第２の部分を示すフローチャートである。
【図１１】図１のコントローラ２０２によって実行される機器制御処理の第３の部分を示すフローチャートである。
【図１２】図９のサブルーチンであるオーナーＩＤの再登録時処理（ステップＳ２８）の第１の部分を示すフローチャートである。
【図１３】図９のサブルーチンであるオーナーＩＤの再登録時処理（ステップＳ２８）の第２の部分を示すフローチャートである。
【図１４】図９のサブルーチンであるオーナーＩＤの再登録時処理（ステップＳ２８）の第３の部分を示すフローチャートである。
【図１５】図１０の処理の変形例を示すフローチャートである。
【図１６】図１１の処理の変形例を示すフローチャートである。
【図１７】図１２の処理の変形例を示すフローチャートである。
【図１８】図７のステップＳ１の処理で表示されるスタート時自動セットアップの画面Ｄ１を示す正面図である。
【図１９】図７のステップＳ２の処理で表示される初期電源オン時登録の画面Ｄ２を示す正面図である。
【図２０】図７のステップＳ８の処理で表示されるセキュリティオプションの使用の確認（その１）の画面Ｄ３を示す正面図である。
【図２１】図７のステップＳ１４の処理で表示されるセキュリティオプションの使用の確認（その２）の画面Ｄ４を示す正面図である。
【図２２】図７のステップＳ１５の処理で表示されるセキュリティオプションの使用の確認（その３）の画面Ｄ５を示す正面図である。
【図２３】図７のステップＳ１９の処理で表示されるセキュリティオプションの使用の確認（その４）の画面Ｄ６を示す正面図である。
【図２４】図７のステップＳ１２の処理で表示されるセキュリティオプションの使用の確認（その５）の画面Ｄ７を示す正面図である。
【図２５】図１１のステップＳ４１の処理で表示されるセキュリティ機能は機器接続の消失により動作中であることの通知（その１）の画面Ｄ８を示す正面図である。
【図２６】図１１のステップＳ４５の処理で表示されるセキュリティ機能は機器接続の消失により動作中であることの通知（その２）の画面Ｄ９を示す正面図である。
【図２７】図１０のステップＳ３１の処理で表示されるセキュリティ機能は機器接続の変更により動作中であることの通知（その１）の画面Ｄ１０を示す正面図である。
【図２８】図１０のステップＳ３５の処理で表示されるセキュリティ機能は機器接続の変更により動作中であることの通知（その２）の画面Ｄ１１を示す正面図である。
【図２９】図１２のステップＳ５１の処理で表示されるＰＩＮ番号が登録された後のオーナーＩＤメニューの画面Ｄ１２を示す正面図である。
【図３０】図１２のステップＳ５６の処理で表示される間違ったＰＩＮ番号が入力されたときのオーナーＩＤメニューの画面Ｄ１３を示す正面図である。
【図３１】図１３のステップＳ６５乃至Ｓ６８の処理で表示される名前、家屋番号、ポストコード又はセキュリティ機能の変更後のオーナーＩＤメニューの画面Ｄ１４を示す正面図である。
【図３２】図１３のステップＳ６５乃至Ｓ６８の処理で表示される名前、家屋番号、ポストコード又はセキュリティ機能の変更後のオーナーＩＤメニューの画面Ｄ１５を示す正面図である。
【図３３】図１３のステップＳ６９乃至Ｓ７０の処理で表示される名前、家屋番号又はポストコードの変更後のオーナーＩＤメニューの画面Ｄ１６を示す正面図である。
【図３４】図７のステップＳ１０の処理で表示される通常選局画面である画面Ｄ１７を示す正面図である。
【符号の説明】
【００６１】
２０１…テレビジョン受像機、
２０２…コントローラ、
２０３…不揮発性メモリ、
２０３Ａ…ＲＯＭ、
２０４…映像信号及び音声信号処理回路、
２０４Ａ…ディスプレイ、
２０５…ＤＶＤレコーダ、
２０６…コントローラ、
２０７…不揮発性メモリ、
２０８…映像信号及び音声信号処理回路、
２０８Ａ…ＤＶＤドライブ装置、
２０９…機器制御ライン、
２１０…映像信号ライン、
２１１…音声信号ライン、
２２０…赤外線信号受信機、
２２１…リモートコントローラ、
２２２…キーボード、
２２３…赤外線信号送信機。
【手続補正３】
【補正対象書類名】図面
【補正対象項目名】全図
【補正方法】変更
【補正の内容】
【図１】
2005033915.tif 000036
【図２】
2005033915.tif 000037
【図３】
2005033915.tif 000038
【図４】
2005033915.tif 000039
【図５】
2005033915.tif 000040
【図６】
2005033915.tif 000041
【図７】
2005033915.tif 000042
【図８】
2005033915.tif 000043
【図９】
2005033915.tif 000044
【図１０】
2005033915.tif 000045
【図１１】
2005033915.tif 000046
【図１２】
2005033915.tif 000047
【図１３】
2005033915.tif 000048
【図１４】
2005033915.tif 000049
【図１５】
2005033915.tif 000050
【図１６】
2005033915.tif 000051
【図１７】
2005033915.tif 000052
【図１８】
2005033915.tif 000053
【図１９】
2005033915.tif 000054
【図２０】
2005033915.tif 000055
【図２１】
2005033915.tif 000056
【図２２】
2005033915.tif 000057
【図２３】
2005033915.tif 000058
【図２４】
2005033915.tif 000059
【図２５】
2005033915.tif 000060
【図２６】
2005033915.tif 000061
【図２７】
2005033915.tif 000062
【図２８】
2005033915.tif 000063
【図２９】
2005033915.tif 000064
【図３０】
2005033915.tif 000065
【図３１】
2005033915.tif 000066
【図３２】
2005033915.tif 000067
【図３３】
2005033915.tif 000068
【図３４】
2005033915.tif 000069
【国際調査報告】
2005033915.tif 000070
2005033915.tif 000071
2005033915.tif 000072
2005033915.tif 000073
2005033915.tif 000074
2005033915.tif 000075